(57)【要約】【課題】携帯端末のステータスをユーザに確実に報知する。【解決手段】報知装置１０は、携帯端末の筐体に貼り付けられ、携帯端末のステータスの変化によって携帯端末が発生する振動を検知する振動検知部と、振動検知部に接続され、携帯端末のステータスの変化を所定の発光パターンで報知する発光部と、を備える。振動検知部は、携帯端末の振動により発生した振動音を収音して第１の音声信号を出力するマイクロホンと、マイクロホンから入力した第１の音声信号のうち、所定の周波数帯域の第２の音声信号を出力する帯域透過部と、帯域透過部から出力された第２の音声信号を解析し、第２の音声信号が携帯端末の振動に相当する場合に、発光部に対して所定の発光パターンで発光させる指示を行う制御部と、を備える。【選択図】図５
2011097178.tif 000002
【特許請求の範囲】
【請求項１】
携帯端末の筐体に貼り付けられ、前記携帯端末のステータスの変化によって前記携帯端末が発生する振動を検知する振動検知部と、
前記振動検知部に接続され、前記携帯端末のステータスの変化を所定の発光パターンでユーザに報知する発光部と、を備える
報知装置。
【請求項２】
前記振動検知部は、
前記携帯端末の振動により発生した振動音を収音して第１の音声信号を出力するマイクロホンと、
前記マイクロホンから入力した前記第１の音声信号を透過して、所定の周波数帯域の第２の音声信号を出力する帯域透過部と、
前記帯域透過部から出力された前記第２の音声信号を解析し、前記第２の音声信号が前記携帯端末の振動に相当する場合に、前記発光部に対して所定の発光パターンで発光させる指示を行う制御部と、を備える
請求項１記載の報知装置。
【請求項３】
前記制御部は、前記第２の音声信号が所定の回数だけ連続して入力した場合に、前記第２の音声信号の振動パターンが所定の振動パターンと一致するか否かを判断し、前記所定のパターンと一致した場合に、前記振動音が、前記携帯端末の振動により生じたことを判断する
請求項２記載の報知装置。
【請求項４】
更に、前記振動検知部は、
前記制御部に電力を供給する電源と、
前記電源を充電する充電電圧を制御する充電制御部と、
充電中の場合は、第１の色で発光し、充電が完了すると第２の色で発光する第２の発光部とを、を備える
請求項１〜３のいずれか１項に記載の報知装置。
【請求項５】
更に、前記電源のオン又はオフを切替えること、前記携帯端末の振動を検出したこと、又は前記電源に充電が必要であることのうち、いずれかの状態を発光パターンの変化によって報知する第３の発光部を備える
請求項４に記載の報知装置。
【請求項６】
前記振動検知部は、前記携帯端末の筐体に片面が貼り付けられ、前記携帯端末の振動を前記マイクロホンに伝達する粘着部を備える
請求項１〜５のいずれか１項に記載の報知装置。
【請求項７】
前記携帯端末のステータスの変化には、着信によるものが含まれる
請求項１〜６のいずれか１項に記載の報知装置。
【請求項８】
携帯端末のステータスの変化によって前記携帯端末が発生する振動音をマイクロホンで収音して第１の音声信号を出力するステップと、
前記マイクロホンから入力した前記第１の音声信号を透過して、所定の周波数帯域の第２の音声信号を出力するステップと、
前記第２の音声信号を解析し、前記第２の音声信号が前記携帯端末の振動に相当する場合に、前記発光部に対して所定の発光パターンで発光させる指示を行うステップと、
所定の発光パターンで発光部を発光させ、前記携帯端末のステータスの変化をユーザに報知させるステップと、を含む
報知方法。
【発明の詳細な説明】
【技術分野】
【０００１】
本発明は、例えば、携帯電話端末が振動することによって着信があったことをユーザに報知する場合に適用して好適な報知装置及び報知方法に関する。
【背景技術】
【０００２】
従来、小型形状の携帯電話端末が広く知られている。このような携帯電話端末には、音楽が流れたり、端末本体が振動したりすることにより、ユーザに着信があったことを知らせる機能がある。
【０００３】
特許文献１には、親端末に着信があったことを小型受信機に無線通信して、小型受信機がアラーム音を出力する技術が開示されている。
【０００４】
特許文献２には、着信時における携帯電話機の振動を検知して、ユーザに着信を報知する技術が開示されている。
【先行技術文献】
【特許文献】
【０００５】
【特許文献１】特開平９−３０７９５５号公報
【特許文献２】特開２００３−２１８９８９号公報
【発明の概要】
【発明が解決しようとする課題】
【０００６】
ところで、ユーザがバッグ等に携帯電話端末を入れたまま、歩いたり、電車内等の騒音が激しい場所に立っていたりする場合がある。この場合、ユーザは、着信があっても携帯電話端末から音声が流れたり、本体が振動したりしたことを気づきにくい。
【０００７】
また、特許文献１に記載された技術を用いるためには、親端末と小型受信機間で無線通信を確立する必要がある。このため、それぞれに送受信アンテナを持たせなければならない。しかし、送受信アンテナを設けるにはコストがかさむと共に、小型受信機は特定の親端末が送信した無線通信でなければ動作しない。このため、親端末を替えると、合わせて小型受信機も替えなければならない。
【０００８】
また、特許文献２に記載されるように、単に振動を検出する仕様とした場合、携帯電話端末が着信を報知する振動以外の様々な低周波振動についても誤検知する場合があった。例えば、ユーザが歩いていたり、乗車中の車両から振動を受けたり、ユーザが着用している衣服のファスナを開閉したりするだけでも、この動作から生じた振動を、携帯電話端末が着信を報知する振動であると誤検知することがあった。
【０００９】
本発明はこのような状況に鑑みて成されたものであり、携帯電話端末が発した振動のみを確実に検出して、ユーザにステータスの変化を報知することを目的とする。
【課題を解決するための手段】
【００１０】
本発明に係る報知装置は、携帯端末の筐体に貼り付けられ、携帯端末のステータスの変化によって携帯端末が発生する振動を検知する振動検知部と、振動検知部に接続され、携帯端末のステータスの変化を所定の発光パターンでユーザに報知する発光部と、を備える。
【００１１】
また、本発明に係る報知方法は、携帯端末のステータスの変化によって携帯端末が発生する振動音をマイクロホンで収音して第１の音声信号を出力するステップと、
マイクロホンから入力した第１の音声信号を透過して、所定の周波数帯域の第２の音声信号を出力するステップと、
第２の音声信号を解析し、第２の音声信号が携帯端末の振動に相当する場合に、発光部に対して所定の発光パターンで発光させる指示を行うステップと、
所定の発光パターンで発光部を発光させ、携帯端末のステータスの変化をユーザに報知させるステップと、を含むものである。
【発明の効果】
【００１２】
本発明によれば、携帯端末が振動してユーザに自端末のステータスを報知する場合に、携帯端末が発した振動であることを振動検知部が検知し、振動検知部に接続された発光部が所定の発光パターンで発光する。このため、ユーザは、携帯端末に触れていなくても、携帯端末のステータスを認識できるという効果がある。
【図面の簡単な説明】
【００１３】
【図１】本発明の一実施の形態における報知装置の全体構成例を示す説明図である。
【図２】本発明の一実施の形態における振動検知部の裏面の構成例を示す斜視図である。
【図３】本発明の一実施の形態における振動検知部を充電する際におけるＵＳＢ電源への接続例を示す説明図である。
【図４】本発明の一実施の形態における接続部と第１の発光部の例を示す説明図である。
【図５】本発明の一実施の形態における報知装置の内部構成例を示すブロック図である。
【図６】本発明の一実施の形態における報知装置の動作例を示すフローチャートである。
【発明を実施するための形態】
【００１４】
以下、本発明の一実施の形態について、添付図面を参照して説明する。本実施の形態では、不図示の携帯電話端末の筐体に取り付けられ、携帯電話端末に着信があったことをユーザに報知する報知装置１０に適用した例について説明する。
【００１５】
図１は、報知装置１０の外観構成例を示す。
報知装置１０は、携帯電話端末の筐体に貼り付けられ、携帯電話端末のステータスの変化によって携帯電話端末が発生する振動を検知する振動検知部４と、振動検知部４に接続線２６を介して接続され、携帯電話端末のステータスの変化を所定の発光パターンで報知する第１の発光部１を備える。第１の発光部１は、報知部２０に内蔵され、振動検知部４から離して用いられる。本例では、携帯電話端末のステータスを、着信があった場合に限定して説明する。
【００１６】
振動検知部４は、直方体形状の筐体を有しており、この筐体の表面には、ユーザに報知装置１０の充電状態を発光して知らせる第２の発光部２と、ユーザに報知装置１０の電源のオン／オフ等の状態を知らせる第３の発光部３を備える。振動検知部４の一方の側面には、接続線２６の一方の端子であるプラグ２５が接続されるソケット８（後述する図２Ｂ参照）が設けられる。接続線２６の両端子のうち、一方がＵＳＢ端子とされ、他方がミニＵＳＢ端子とされる。
【００１７】
振動検知部４に接続される報知部２０は、ユーザのシャツやカバン等に取り付けやすくするためにクリップ形状としてある。そして、報知部２０は、携帯電話端末に着信があったことをユーザに報知する第１の発光部１を備える。
【００１８】
第１の発光部１、第２の発光部２、及び第３の発光部３には、発光ダイオード（ＬＥＤ：Light Emitting Diode）が用いられ、振動検知部４の状態、又は携帯電話端末が生じた振動等によって様々な発光パターンで発光する。第１の発光部１、第２の発光部２、及び第３の発光部３の発光パターンは、後述する。
【００１９】
第１の発光部１は、携帯電話端末に着信があったことをユーザに知らせるため、青色で発光する（後述する図４参照）。また、第２の発光部２は、振動検知部４の充電時には赤色で発光し、充電完了時には緑色に発光する（後述する図３参照）。また、第３の発光部３は、電源のオン又はオフの切替えに伴い、赤色に発光する。
【００２０】
振動検知部４の充電時には、プラグ２５が振動検知部４から抜かれ、代わりに、充電プラグ２７の振動検知部側端子２９がソケット８（後述する図２Ｂ参照）に差し込まれる。一方、充電プラグ２７の充電器側端子２８は、ＵＳＢ電源３０（後述する図３参照）が備えるＵＳＢソケットに差し込まれる。そして、振動検知部４は、充電プラグ２７を介してＵＳＢ電源３０から給電され、内部の電源１５（後述する図３参照）に充電ができる。
【００２１】
ここで、第３の発光部３の発光パターンについて説明する。
第３の発光部３は、電源オン／オフ時、振動感知時、バッテリーの充電が必要なときに発光し、ユーザに各状態を知らせる。
（１）電源オン時の発光パターン：
ユーザがスイッチ５（後述する図２参照）を押下すると、報知装置１０の電源がオンされる。ユーザがスイッチ５を押下する間は第３の発光部３が点灯しており、以降は、第３の発光部３が３秒に２回点滅する。
（２）電源オフ時の発光パターン：
ユーザがスイッチ５を２秒以上長押しすると第３の発光部３が連続５回点滅して、自動的に電源がオフになる。
（３）携帯電話端末の振動を検出した後の発光パターン：
第３の発光部３が３秒に１回点滅する。
（４）電源に充電が必要な場合の発光パターン：
振動検知部４に充電が必要な場合は、第３の発光部３が約１２０分間連続して点滅する。
【００２２】
図２は、振動検知部４の裏面の構成例を示す。
図２Ａは、図１における矢印Ａ方向から視認した場合における振動検知部４の裏面の構成例を示す。
【００２３】
振動検知部４の一方の側面には、振動検知部４の電源オン又はオフの切替え、又は第１の発光部１を消灯（「リセット」とも呼ぶ。）する際に使用されるスイッチ５が設けられる。スイッチ５は、極めて小さいため、振動検知部４の側面をへこませた凹部６がスイッチ５の周囲に形成される。このため、ユーザは、スイッチ５を押しやすくなる。
【００２４】
図２Ｂは、図１における矢印Ｂ方向から視認した場合における振動検知部４の裏面の構成例を示す。
【００２５】
振動検知部４の他方の側面には、ソケット８が設けられる。ソケット８は、報知部２０用のプラグ２５の接続端子と、充電プラグ２７の振動検知部側端子２９により共用される。
（１）報知部２０を使用する場合：
プラグ２５の接続端子をソケット８に挿入して、報知部２０を着信の報知に使用する。
（２）振動検知部４が内蔵する電源に充電する場合：
充電プラグ２７が備える振動検知部側端子２９をソケット８に挿入し、ＵＳＢ電源等が備えるＵＳＢ端子に充電器側端子２８を接続し、振動検知部４の内蔵電源に充電する。
【００２６】
また、振動検知部４の裏面には、携帯電話端末の筐体に片面が貼り付けられ、携帯電話端末の振動をマイクロホン１１（後述する図５参照）に伝達する粘着部７が貼り付けられる。粘着部７は、シリコン素材で形成されており、粘着面の垂直方向に対して強固に粘着するが、粘着面の水平方向に対しては、容易にはがすことが可能である。そして、粘着部７が携帯電話端末の筐体に貼り付けられる。
【００２７】
図３は、充電時における振動検知部４の動作例を示す。
充電時には、ＵＳＢ電源３０が備える不図示のソケットに充電プラグ２７の充電器側端子２８が挿入される。また、振動検知部４が備えるソケット８には、充電プラグ２７の振動検知部側端子２９が挿入される。
【００２８】
ここで、第２の発光部２の発光パターンについて説明する。
（１）充電時：
第２の発光部２は、赤色に点灯する。
（２）充電完了時：
第２の発光部２は、緑色に点灯する。
このように、第２の発光部２の発光パターンが変わるため、ユーザは充電の完了を知ることができる。
【００２９】
図４は、報知部２０の動作例を示す。
報知部２０が備える第１の発光部１は、振動検知部４が携帯電話端末に発生した振動を検知したことを受けて、所定の発光パターンで発光する。
（１）振動検知時の発光パターン：
第１の発光部１は、１秒間隔で３回点滅する。
（２）振動検知後の発光パターン：
第１の発光部１は、２秒間隔で３回ずつ、３０分間点滅した後、自動的に消灯する。
（３）リセット時の発光パターン：
第１の発光部１が消灯され、初期化される。この後、報知装置１０は、携帯電話端末が着信によって発生する振動を待つ状態が、電源オフされるまで続く。
【００３０】
図５は、振動検知部４の内部構成例を示すブロック図である。
振動検知部４は、携帯電話端末の振動により発生した振動音を収音して第１の音声信号を出力するマイクロホン１１と、第１の音声信号を増幅するアンプ１２を備える。また、振動検知部４は、マイクロホン１１からアンプ１２を介して増幅された第１の音声信号のうち、所定の周波数帯域における第１の音声信号を透過して、第２の音声信号を出力する帯域透過部（ＢＰＦ：Band Pass Filter）１３と、を備える。
【００３１】
また、振動検知部４は、帯域透過部１３から出力された第２の音声信号を解析し、第２の音声信号が携帯電話端末の振動に相当する場合に、第１の発光部１に対して所定の発光パターンで発光させる指示を行う制御部１４と、報知装置１０を構成する各部に電力を供給する電源１５を備える。制御部１４には、例えば、ＣＰＵ（Central Processing Unit）が用いられ、電源１５には、繰り返し充電が可能な二次電池が用いられる。
【００３２】
制御部１４は、帯域透過部１３を透過した第２の音声信号が所定の回数だけ連続して入力された場合に、所定の振動パターンと一致するか否かを判断する。そして、制御部１４は、所定の振動パターンに一致した場合に、第２の音声信号が、携帯電話端末の振動により生じた音声信号であることを判断する。
【００３３】
また、振動検知部４は、電源１５を充電する充電電圧を制御する充電制御部１６を備える。第２の発光部２は、充電制御部１６に接続されており、充電の状態に応じて発光パターンが制御される。また、第１の発光部１と第３の発光部３は、それぞれ制御部１４に接続され、上述したように所定のパターンで点灯、又は消灯を行う。特に、第１の発光部１は、報知部２０を介して振動検知部４に接続されており、制御部１４が、携帯電話端末のステータス（着信有り）の変換を報知する振動により生じた振動音を感知した場合に、所定の発光パターンで発光し、ユーザに携帯端末のステータスを報知する。
【００３４】
図６は、携帯電話端末の着信時における報知装置１０の動作例を示す。
始めに、制御部１４は、スイッチ５が押下され、報知装置１０の電源がオンされたか否かを判断する（ステップＳ１）。電源がオンされていない場合、制御部１４は、電源がオンされるまで待機する。
【００３５】
電源がオンされると、制御部１４は、第３の発光部３を所定の発光パターンで点灯させる。次に、制御部１４は、マイクロホン１１が出力した第１の音声信号が、アンプ１２を介して帯域透過部１３から第２の音声信号として入力されたか否かを判断する（ステップＳ２）。このとき、制御部１４は、振動検知部４の周囲から入る各種のノイズや振動音を感知する。そして、制御部１４は、マイクロホン１１が収音した振動音の周波数が約１００〜５２０Ｈｚの範囲内にあるか否かを判断する。感知した振動音の周波数が約１００〜５２０Ｈｚの範囲外である場合、制御部１４は、ステップＳ２の処理を繰り返し、入力した音声の音声周波数をチェックし続ける。
【００３６】
次に、制御部１４は、音声の周波数が約１００〜５２０Ｈｚである第２の音声信号が連続入力されたか否かを判断する（ステップＳ３）。例えば、同じ周波数の音声から得られる第２の音声信号を１０回連続して検出すると、制御部１４は、携帯電話端末の振動であることを認識する。
【００３７】
従来は、ユーザの衣服のファスナを開閉する音等も携帯電話端末の振動音であると誤検出することがあった。このため、制御部１４は、ステップＳ３にて検出した第２の音声信号が所定の振動パターン（本例では、一定の周期）で入力されるか否かを判断する（ステップＳ４）。このとき、振動検知部４は、携帯電話端末の振動音から得られる音声周波数と、振動パターンが記憶された不図示の内蔵メモリから音声周波数と、振動パターンを読み出して、第２の音声信号の音声周波数と、振動パターンに一致するかを判断している。これにより、携帯電話端末の振動音を確実に検出できる。一致しない場合、制御部１４は、ステップＳ２に処理を移し、入力した音声の音声周波数をチェックし続ける。
【００３８】
次に、制御部１４は、第２の音声信号から音声周波数と周期を算出し（ステップＳ５）、携帯電話端末から生じた振動音が入力されたか否かを判断する（ステップＳ６）。携帯電話端末の振動音であると判断した場合、第１の発光部１を発光させる点灯信号を報知部２０に供給する。携帯電話端末の振動音でない場合、制御部１４は、ステップＳ２に処理を移し、入力した音声の音声周波数をチェックし続ける。
【００３９】
報知部２０は、点灯信号を受け取ると、第１の発光部１を発光させ（ステップＳ７）、ユーザに対して、携帯電話端末に着信があったことを知らせる。本例では、青色ＬＥＤを用いて第１の発光部１を構成したため、ユーザの視認性が高い。そして、携帯電話端末の振動音の検出が続いている限り、制御部１４は、第１の発光部１を１／２Ｄｕｔｙ（点灯率５０％）で点灯させる。
【００４０】
次に、制御部１４は、携帯電話端末の振動が停止したか否かを判断する（ステップＳ８）。振動が継続している場合、制御部１４は、ステップＳ２に処理を移し、入力した音声の音声周波数をチェックし続ける。
【００４１】
一方、携帯電話端末の振動が停止すると、制御部１４は、第１の発光部１を１／３Ｄｕｔｙ（点灯率３０％）で点灯させる（ステップＳ９）。その後、制御部１４は、ユーザがスイッチ５を押下して、第１の発光部１の点灯をリセットしたか否かを判断する（ステップＳ１０）。スイッチ５が押下されると、制御部１４は、ステップＳ２に処理を移し、入力した音声の音声周波数をチェックし続ける。
【００４２】
一方、スイッチ５が押下されていない場合、制御部１４は、電源がオフされたか否かを判断する（ステップＳ１１）。電源がオフされていない場合、制御部１４は、ステップＳ９に処理を移し、スイッチ５の点滅を繰り返す。一方、電源がオフされると、制御部１４は、ステップＳ１に処理を移し、電源がオンされるまで待機する。
【００４３】
以上説明した本実施の形態に係る報知装置１０によれば、振動検知部４を携帯電話端末に取り付けることによって、携帯電話端末の着信時に発生した振動音を検出し、第１の発光部１を点灯して、ユーザに着信があったことを知らせることができる。そして、振動検知部４と第１の発光部１は、接続線２６によって接続され、互いに離れた位置に設置できる。このため、例えば、振動検知部４が貼り付けられた携帯電話端末をカバンの中に入れていても、第１の発光部１を外部に取り出してユーザに着信があったことを知らせることができる。
【００４４】
また、第２の発光部２は、充電の状態を報知し、第３の発光部３は、電源のオン又はオフ等の報知装置１０の状態を所定の発光パターンで切替えたり、変色発光したりしてユーザに知らせる。このため、ユーザは、報知装置１０の状態を知ることができ、適切な措置をとることができる。
【００４５】
また、振動検知部４を携帯電話端末の筐体に取り付ける際に、振動検知部４の筐体側面に粘着部７を設けた。粘着部７は、例えば、シリコン素材で形成されており、携帯電話端末の筐体に取り付けられた振動検知部４は、粘着面に対して垂直方向の粘着力は非常に強いが、水平方向の粘着力は弱い。このため、粘着面に対して水平方向に振動検知部４をねじれば携帯電話端末から容易に取り外すことができるが、携帯電話端末をカバン等に入れるだけでは、携帯電話端末から振動検知部４がはがれにくい。また、粘着部７は、粘着面に付着したゴミ等により粘着力が弱まったとしても、粘着面を洗浄することにより再び粘着力を強めることができる。このため、振動検知部４を所望の位置に何度でも取り付けることができる。
【００４６】
また、報知部２０の形状をクリップ状としているため、ユーザの着衣等に報知部２０を固定することが容易である。また、報知部２０を透明プラスチック等で形成したため、第１の発光部１が発光した際には、報知部２０全体を光らせることができる。これにより、一層ユーザの視認性が高まるという効果がある。
【００４７】
なお、報知部２０の形状はクリップ状に限らず、例えば、マンガや動物等のキャラクタの形状を模したものであってもよい。また、報知部２０を着色してもよいし、第１の発光部１〜第３の発光部３は、ＬＥＤに限らず、他の発光体を用いて構成してもよい。
【００４８】
また、上述した実施の形態に係る報知装置１０において、第１の発光部１は、青色で発光し、第２の発光部２は、赤又は緑色で発光し、第３の発光部３は、赤色で発光する。ただし、各発光部の発光色は上記に限定されず、様々な色で発光して良い。また、各発光部の発光パターンについても様々なパターンを取り得る。
【００４９】
また、上述した実施の形態に係る報知装置１０は、携帯電話端末に着信があった際に振動してユーザに報知することを利用して、この振動を検出し、第１の発光部１を発光させて、ユーザに着信を報知する。しかし、携帯電話端末のステータスは着信に限られない。例えば、電子メールを受信したことを報知する等、他のステータスによっても携帯電話端末が振動した場合に報知装置１０がユーザに報知しても良い。また、複数のステータスのそれぞれに対して、携帯電話端末の振動パターンが変化する場合、それぞれの振動パターンに応じた発光パターンを予め設定しておき、ユーザに携帯電話端末のステータスを報知してもよい。
【符号の説明】
【００５０】
１…第１の発光部、２…第２の発光部、３…第３の発光部、４…振動検知部、５…スイッチ、６…凹部、７…粘着部、８…ソケット、１０…報知装置、１１…マイクロホン、１２…アンプ、１３…帯域透過部、１４…制御部、１５…電源、１６…充電制御部、２０…報知部、２５…プラグ、２６…接続線、２７…充電プラグ、２８…充電器側端子、２９…振動検知部側端子、３０…ＵＳＢ電源
【図１】
2011097178.tif 000003
【図２】
2011097178.tif 000004
【図３】
2011097178.tif 000005
【図４】
2011097178.tif 000006
【図５】
2011097178.tif 000007
【図６】
2011097178.tif 000008